(57)【要約】【課題】  経時の画像の色相の変位を抑えつつ、更に光沢の均一性に優れた画像が形成可能なインクジェット記録装置の提供。【解決手段】  画像データに応じて記録媒体に対して耐候性の異なる複数のインクを吐出し、前記記録媒体上に画像を形成する第１ヘッドと、  前記複数のインクの各インクによる前記画像における各ドットを被覆して、前記各ドットの耐候性を向上させるための、樹脂と紫外線遮蔽材とを含有する耐候性向上液を吐出する第２ヘッドと、  前記画像データに基づいて、耐候性が低いドットよりも耐候性が高いドットの方が前記耐候性向上液による耐候性向上の効果が小さくなるように、前記画像における各ドットに対する、前記第２ヘッドによる前記耐候性向上液の吐出を制御する制御手段と、  を有するインクジェット記録装置である。【選択図】図１
2019177537.tif 000002
【特許請求の範囲】
【請求項１】
画像データに応じて記録媒体に対して耐候性の異なる複数のインクを吐出し、前記記録媒体上に画像を形成する第１ヘッドと、
前記複数のインクの各インクによる前記画像における各ドットを被覆して、前記各ドットの耐候性を向上させるための、樹脂と紫外線遮蔽材とを含有する耐候性向上液を吐出する第２ヘッドと、
前記画像データに基づいて、耐候性が低いドットよりも耐候性が高いドットの方が前記耐候性向上液による耐候性向上の効果が小さくなるように、前記画像における各ドットに対する、前記第２ヘッドによる前記耐候性向上液の吐出を制御する制御手段と、
を有することを特徴とするインクジェット記録装置。
【請求項２】
前記耐候性向上液が、１種類であり、
前記第２ヘッドによる前記耐候性向上液の吐出における前記制御手段による制御が、耐候性が低いドット上に形成される前記耐候性向上液による被膜よりも、耐候性が高いドット上に形成される前記耐候性向上液の被膜の方が薄くなるように、行われる、請求項１に記載のインクジェット記録装置。
【請求項３】
前記耐候性向上液が、耐候性向上効果の異なる複数種類であり、
前記第２ヘッドによる前記耐候性向上液の吐出における前記制御手段による制御が、耐候性が低いドット上に付与される耐候性向上液の耐候性向上効果よりも、耐候性が高いドット上に形成される耐候性向上液の耐候性向上効果が低くなるように、行われる、請求項１に記載のインクジェット記録装置。
【請求項４】
耐候性向上効果の異なる複数種類の前記耐候性向上液は、前記紫外線遮蔽材の含有量により耐候性向上効果が異なる請求項３に記載のインクジェット記録装置。
【請求項５】
前記耐候性向上液が、無色透明である請求項１から４のいずれかに記載のインクジェット記録装置。
【請求項６】
前記紫外線遮蔽材が、金属酸化物微粒子である請求項１から５のいずれかに記載のインクジェット記録装置。
【発明の詳細な説明】
【技術分野】
【０００１】
本発明は、インクジェット記録装置に関する。
【背景技術】
【０００２】
インクジェット記録装置は、主として液体のインクを吐出し、インクを印刷媒体へ付着させる、又はインクにより印刷媒体を染色させる。そのインクの主成分は、例えば、水、有機溶剤、樹脂又はその元となるオリゴマー、染料や顔料等の着色剤である。印刷媒体は紙に限らず、最近は、フィルムやプラスチックなども用いられている。さらに、インクジェット方式では、印刷媒体として不織布や布地が用いられることもある。印刷品は壁紙や街頭の広告、のぼり旗等にも採用されている。
【０００３】
インクは、含有する着色剤の違いにより、耐候性が異なる。そして、耐候性の高いインクは褪色の度合いが小さい一方で、耐候性の低いインクは褪色の度合いが大きい。そのため、耐候性の高いインクと、耐候性の低いインクとを用いたインクジェット方式では、経時で各インクの褪色の度合いの違いによる画像の品質のバランスが悪くなるという問題がある。
【０００４】
そこで、複数種類のインクそれぞれが記録した画像の耐候性を向上させつつも、各色のバランスを保つことによって、画像の色相の変位を極力抑えることを目的として、記録媒体に記録された状態において耐候性能が異なる複数種類のインクを前記記録媒体に記録する工程と、前記耐候性能を向上させるための１種類以上の耐候性向上液を、前記複数種類のインクが記録される前記記録媒体の位置に付与する工程と、を有する画像記録方法であって、前記付与工程では前記複数種類のインクの耐候性能に応じて前記耐候性向上液の前記記録媒体に対する付与形態を異ならせる画像記録方法が提案されている（特許文献１参照）。
【発明の概要】
【発明が解決しようとする課題】
【０００５】
本発明は、経時の画像の色相の変位を抑えつつ、更に光沢の均一性に優れた画像が形成可能なインクジェット記録装置を提供することを目的とする。
【課題を解決するための手段】
【０００６】
前記課題を解決するための手段としては、以下の通りである。即ち、
本発明のインクジェット記録装置は、
画像データに応じて記録媒体に対して耐候性の異なる複数のインクを吐出し、前記記録媒体上に画像を形成する第１ヘッドと、
前記複数のインクの各インクによる前記画像における各ドットを被覆して、前記各ドットの耐候性を向上させるための、樹脂と紫外線遮蔽材とを含有する耐候性向上液を吐出する第２ヘッドと、
前記画像データに基づいて、耐候性が低いドットよりも耐候性が高いドットの方が前記耐候性向上液による耐候性向上の効果が小さくなるように、前記画像における各ドットに対する、前記第２ヘッドによる前記耐候性向上液の吐出を制御する制御手段と、
を有することを特徴とする。
【発明の効果】
【０００７】
本発明によると、経時の画像の色相の変位を抑えつつ、更に光沢の均一性に優れた画像が形成可能なインクジェット記録装置を提供することができる。
【図面の簡単な説明】
【０００８】
【図１】図１は、一実施形態にかかるインクジェット記録装置の概略構成図である。
【図２】図２は、インクジェット記録装置の機能構成を示すブロック図である。
【図３Ａ】図３Ａは、第１の態様を説明するための模式図である（その１）。
【図３Ｂ】図３Ｂは、第１の態様を説明するための模式図である（その２）。
【図４Ａ】図４Ａは、第２の態様を説明するための模式図である（その１）。
【図４Ｂ】図４Ｂは、第２の態様を説明するための模式図である（その２）。
【発明を実施するための形態】
【０００９】
（インクジェット記録装置、及びインクジェット記録方法）
本発明のインクジェット記録装置は、第１ヘッドと、第２ヘッドと、制御手段とを少なくとも有し、更に必要に応じて、その他の手段を有する。
本発明に関するインクジェット記録方法は、前記インクジェット記録装置で実行され、制御工程を含み、更に必要に応じて、その他の工程を含む。
【００１０】
特開２００８−１４９６１５号公報に開示の技術の画像記録方法では、記録媒体に記録された状態において耐候性能が異なる複数種類のインクを前記記録媒体に記録する工程と、前記耐候性能を向上させるための１種類以上の耐候性向上液を、前記複数種類のインクが記録される前記記録媒体の位置に付与する工程と、を有し、前記付与工程では前記複数種類のインクの耐候性能に応じて前記耐候性向上液の前記記録媒体に対する付与形態を異ならせる。この提案の技術では、全てのインクによるドット上に耐候性向上液が付与されるわけではない。即ち、耐候性に優れるインクによるドット上には、耐候性向上液が付与されない。その場合、耐候性向上液が付与されたインクのドットの光沢は高くなる一方で、耐候性向上液が付与されないドットの光沢は高くならないため、記録媒体上に形成された画像に光沢の不均一が生じやすいという問題がある。
【００１１】
そこで、本発明者らは、耐候性向上液を、各ドットの耐候性に応じて吐出する際に、耐候性が低いドットよりも耐候性が高いドットの方が前記耐候性向上液による耐候性向上の効果が小さくなるように制御して、耐候性が高いドットにも耐候性向上液を付与することで、経時の画像の色相の変位を抑えつつ、更に光沢の均一性に優れた画像が形成可能なことを見出し、本発明の完成に至った。
【００１２】
＜第１ヘッド＞
前記第１ヘッドは、画像データに応じて記録媒体に対して耐候性の異なる複数のインクを吐出するヘッドである。
前記第１ヘッドは、前記記録媒体上に画像を形成するためのヘッドである。
【００１３】
＜第２ヘッド＞
前記第２ヘッドは、前記複数のインクの各インクによる前記画像における各ドットを被覆して、前記各ドットの耐候性を向上させるための耐候性向上液を吐出するヘッドである。
前記耐候性向上液は、例えば、樹脂と紫外線遮蔽材とを少なくとも含有し、更に必要に応じて、有機溶媒、水などを含有する。
前記樹脂としては、特に制限はなく、目的に応じて適宜選択することができる。
前記紫外線遮蔽材としては、特に制限はなく、目的に応じて適宜選択することができるが、耐候性に優れ、かつ透明性に優れ、無色透明の耐候性向上液を作製しやすい点で、金属酸化物微粒子が好ましく、酸化チタン微粒子がより好ましい。
前記酸化チタン微粒子の一次平均粒子径としては、特に制限はなく、目的に応じて適宜選択することができるが、５ｎｍ〜１００ｎｍが好ましい。
【００１４】
前記耐候性向上液における前記樹脂と前記紫外線遮蔽材との質量割合（樹脂：紫外線遮蔽材）としては、特に制限はなく、目的に応じて適宜選択することができるが、１：１〜５：１が好ましい。
【００１５】
前記耐候性向上液は、無色透明であることが、画像の色相を変化させない点で好ましい。
【００１６】
＜制御手段、及び制御工程＞
前記制御手段としては、前記画像データに基づいて、耐候性が低いドットよりも耐候性が高いドットの方が前記耐候性向上液による耐候性向上効果が小さくなるように、前記画像における各ドットに対する、前記第２ヘッドによる前記耐候性向上液の吐出を制御する手段であれば、特に制限はなく、目的に応じて適宜選択することができる。
前記制御工程としては、前記画像データに基づいて、耐候性が低いドットよりも耐候性が高いドットの方が前記耐候性向上液による耐候性向上効果が小さくなるように、前記画像における各ドットに対する、前記第２ヘッドによる前記耐候性向上液の吐出を制御する工程であれば、特に制限はなく、目的に応じて適宜選択することができる。
【００１７】
前記インクジェット記録装置においては、前記耐候性向上液が、１種類であり、前記第２ヘッドによる前記耐候性向上液の吐出における前記制御手段又は前記制御工程による制御が、耐候性が低いドット上に形成される前記耐候性向上液による被膜よりも、耐候性が高いドット上に形成される前記耐候性向上液の被膜の方が薄くなるように、行われることが好ましい。そうすることにより、耐候性向上液の使用量を抑えることができる。
【００１８】
前記インクジェット記録装置においては、耐候性向上効果の異なる複数種類であり、
前記第２ヘッドによる前記耐候性向上液の吐出における前記制御手段又は前記制御工程による制御が、耐候性が低いドット上に付与される耐候性向上液の耐候性向上効果よりも、耐候性が高いドット上に形成される耐候性向上液の耐候性向上効果が低くなるように、行われることが好ましい。更に、耐候性向上効果の異なる複数種類の前記耐候性向上液は、前記紫外線遮蔽材の含有量により耐候性向上効果が異なることが好ましい。そうすることにより、前記耐候性向上液により形成される被膜の厚みの均一性が、前記画像全体において良好になる。その結果、画像の光沢の均一性がより優れる。
【００１９】
ここで、本発明の効果を確認する一例を説明する。
下記表１は、耐候性向上液の一例である。耐候性向上液Ａ〜Ｄは、樹脂と、紫外線遮蔽材と、有機溶媒と、水とを含有する。樹脂の含有量は、５〜２０質量％であり、紫外線遮蔽材の含有量は５質量％である。液Ｅは、紫外線遮蔽材を含有しない液（オーバーコート液）である。
【００２０】
【表１】
2019177537.tif 000003
【００２１】
表１中の酸化チタン（ＴＴＯ−５５、ＴＴＯ−５１、ＴＴＯ−Ｓ、ＴＴＯ−Ｖ）は、石原産業株式会社製の微粒子酸化チタンであって、紫外線遮蔽効果を有する。
エマルゲンＬＳ−１０６は、花王ケミカル社製の高級アルコール系エーテル型非イオン性界面活性剤である。
プロキセルＬＶは、アビシア社製の防腐剤である。
【００２２】
表１の各液を、以下の耐候性試験に供した結果を表２に示す。
Ｙｅｌｌｏｗのベタ画像に対して、表１の各液を膜厚１０μｍとなる塗布量で塗布して試験体を得た。
試験体についてＪＩＳに規定された促進耐候性（キセノンランプ法）  ＪＩＳ  Ｋ５６００−７−７：２００８の退色試験を実施した。スーパーキセノンウェザーメーターＳＸ７５を用い、５００時間キセノンランプを露光（１年間屋外暴露相当）させた後の画像と元の画像の濃度を測定し、色差ΔＥを求めて、以下の評価基準で評価した。
〔評価基準〕
○：ΔＥが２５未満
×：ΔＥが２５以上
【００２３】
【表２】
2019177537.tif 000004
【００２４】
紫外線遮蔽材を含有した耐候性向上液は、耐候性の向上効果が良好であった。
【００２５】
次に、一般的なインクの耐候性を表３に示す。表３において１００％階調とは、ベタ画像を示し、４０％階調とはベタ画像に対してインク量が４０質量％であることを示す。
表３の結果は、耐候性の促進試験（前述のキセノンランプ法：ＪＩＳ  Ｋ５６００−７−７：２００８）の結果を経過年数に換算したものである。
【００２６】
【表３】
2019177537.tif 000005
【００２７】
表３中の数値は、経過年数０年（初期）からの色差（ΔＥ）を表す。
「３Ｃ」は、Ｃｙａｎ、Ｍａｇｅｎｔａ、及びＹｅｌｌｏｗを混合したコンポジットＢｌａｃｋを表す。
【００２８】
次に、表４−１及び表４−２に、表３のインクの一部に対して、耐候性向上液Ａを一定の厚みでオーバーコートした際の耐候性の評価結果（３年経過相当）を示す。なお、評価は、表３のインクの耐候性の評価と同様にして行った。
表４−１及び表４−２において、色差（ΔＥ）が２５未満を「○」、２５以上を「×」とした。
【００２９】
【表４−１】
2019177537.tif 000006
【００３０】
【表４−２】
2019177537.tif 000007
【００３１】
表３からわかるように、インクの種類によって耐候性が異なり、褪色の程度が異なる。更に、表４−１及び表４−２からわかるように、耐候性向上液による被膜の厚みが薄い場合、同じ被膜の厚みでもインクの褪色の程度が異なる。そのため、１種類の耐候性向上液を画像上に一様に塗布した場合には、各色のインクによるドットの褪色の程度が異なってしまうため、画像の褪色に不均一が生じ、画像の色相の変異が大きくなる。なお、耐候性向上液による被膜の厚みを厚く（例えば、１０μｍ）すると、褪色の程度は各色で小さくなるが、耐候性向上液を過剰に使用することになり、経済的ではない。
【００３２】
そこで、本発明では、画像データに基づいて、耐候性が低いドットよりも耐候性が高いドットの方が耐候性向上液による耐候性向上の効果が小さくなるように、画像における各ドットに対する、第２ヘッドによる耐候性向上液の吐出を制御することで、画像の各色の褪色の程度を均一化させることができ、経時の画像の色相の変位を抑えることができる。
【００３３】
以下に添付図面を参照して、インクジェット記録装置およびインクジェット記録方法の実施の形態を詳細に説明する。尚、本発明は、以下で説明される実施形態により限定されるものではない。
【００３４】
図１は、一実施形態にかかるインクジェット記録装置１００の概略構成図である。図１に示すように、インクジェット記録装置（画像形成装置）１００は、用紙搬送部２、画像形成部３を主に備えており、記録媒体である用紙Ｐ上に画像形成を行う。
【００３５】
用紙搬送部２は、給紙ローラ２１、給紙側搬送ローラ対２２、複数の搬送ローラ２３、排紙側搬送ローラ２４及び巻取ローラ２５等を備えている。
【００３６】
給紙ローラ２１は、所定長さの用紙Ｐが巻き付けられたロール紙束を回転可能に支持している。用紙Ｐの先端は、給紙ローラ２１の近傍に配設されている給紙側搬送ローラ対２２のローラ間に挿入されている。
【００３７】
給紙側搬送ローラ対２２は駆動モータによって回転駆動されることで、用紙Ｐを図１に矢印で示す搬送方向（図１の右から左に向かう方向）に送り出す。搬送ローラ２３については、複数のローラが用紙Ｐの搬送方向に並んで水平に配設されている。搬送ローラ２３は、給紙側搬送ローラ対２２から送り出された用紙Ｐを、水平状態を保って搬送方向に搬送する。
【００３８】
排紙側搬送ローラ２４は、搬送ローラ２３によって搬送されてきた用紙Ｐを、巻取ローラ２５へガイドする。巻取ローラ２５は駆動モータによって回転駆動され、給紙ローラ２１から送り出された用紙Ｐを巻き取る。
【００３９】
尚、上述では、給紙ローラ２１と巻取ローラ２５との間に記録媒体としてのロール紙を張架する構成例について説明したが、実施形態はこれに限定されない。その他の構成例として、給紙ローラ２１および巻取ローラ２５に替えて、無端状の搬送ベルトを張架する２つのローラを設けてもよい。そして、インクジェット記録装置１００は当該ローラ対を駆動モータによって回転駆動し、搬送ベルトを図１に示す搬送方向に搬送することにより、搬送ベルト上のカット紙を搬送してもよい。
【００４０】
画像形成部３は、有色ラインヘッドユニット３１と、耐候性向上液を吐出するオーバーコートラインヘッドユニット３２を主に備えている。
【００４１】
有色ラインヘッドユニット３１は、ブラック（Ｂｋ）、シアン（Ｃ）、マゼンタ（Ｍ）、イエロー（Ｙ）の各色のラインヘッドユニット３１Ｂｋ、３１Ｃ、３１Ｍ、３１Ｙが搬送方向に順次並んで配設されている。各色のラインヘッドユニット３１Ｂｋ、３１Ｃ、３１Ｍ、３１Ｙの用紙Ｐ側の面には、各色のインク吐出ノズルが主走査方向に複数個並んで設けられている。各インク吐出ノズルはそれぞれ、各色のインクを、搬送ローラ２３によって搬送されている用紙Ｐに向かって吐出する。
【００４２】
各色のラインヘッドユニット３１Ｂｋ、３１Ｃ、３１Ｍ、３１Ｙは、用紙搬送部２による用紙Ｐの搬送にタイミングを合わせて、対応する色のインクを順次同じドット上に重ね合わせて吐出する。これにより、インクジェット記録装置１００は、画像データに応じた色のドット画像を形成する。
【００４３】
各色のラインヘッドユニット３１Ｂｋ、３１Ｃ、３１Ｍ、３１Ｙから吐出される各色のインクは、顔料等の色剤を溶剤に溶け込ませたものが主に用いられる。尚、インクの構成はこのような構成に限るものではなく、例えば、色剤として染料を用いたものであってもよい。
【００４４】
なお、有色ラインヘッドユニット３１が有するラインヘッドユニットは、上述したように、ブラック（Ｂｋ）、シアン（Ｃ）、マゼンタ（Ｍ）、イエロー（Ｙ）の各色のラインヘッドユニット３１Ｂｋ、３１Ｃ、３１Ｍ、３１Ｙに限るものではない。例えば、インクジェット記録装置１００は、有色ラインヘッドユニット３１として、ライトグレー、ライトシアン、ライトマゼンタ等の薄色、あるいは、その他の特色を吐出するラインヘッドユニットを備えてもよい。また、ラインヘッドユニット３１Ｂｋ、３１Ｃ、３１Ｍ、３１Ｙの搬送方向に対する並び順は、上記並び順に限定されない。
【００４５】
インクジェット記録装置１００は、有色ラインヘッドユニット３１の最下流に設けられたラインヘッドユニット３１Ｙから所定間隔を空けた搬送方向下流側において、オーバーコートラインヘッドユニット３２を備えている。
【００４６】
オーバーコートラインヘッドユニット３２において用紙Ｐ側の面には、主走査方向に複数の吐出ノズルが設けられている。各吐出ノズルは、搬送ローラ２３及び排紙側搬送ローラ２４によって搬送されている用紙Ｐに向かって耐候性向上液を吐出する。
【００４７】
尚、各色のラインヘッドユニット３１Ｂｋ、３１Ｃ、３１Ｍ、３１Ｙ及びオーバーコートラインヘッドユニット３２の駆動方式は特に限定されるものではなく、適宜、各種駆動方式を用いるとしてよい。例えば、駆動方式として、ＰＺＴ(チタン酸ジルコン酸鉛)等の圧電素子を用いた圧電方式、熱エネルギーを作用させる熱エネルギー方式等を用いることができる。あるいは、駆動方式として、静電気力を利用した静電方式等のアクチュエータを利用したオンディマンド型ヘッド、連続噴射型荷電制御ヘッド等を用いることができる。
【００４８】
次に、インクジェット記録装置１００の機能構成について説明する。
【００４９】
図２は、インクジェット記録装置１００の機能構成を示すブロック図である。インクジェット記録装置１００は、主制御部１０１、有色インクヘッド制御部１０２、オーバーコートヘッド制御部１０３、有色ラインヘッドユニット３１（図１も参照）、オーバーコートラインヘッドユニット３２（図１も参照）を備えている。
【００５０】
有色ラインヘッドユニット３１は、画像データに応じて記録媒体に対して有色インクを吐出し、記録媒体上に画像を形成する第１ヘッドとして機能する。オーバーコートラインヘッドユニット３２は、耐候性向上液を吐出して、有色ラインヘッドユニット３１による画像上に耐候性向上効果を有する被膜を形成する第２ヘッドとして機能する。
【００５１】
また、インクジェット記録装置１００は、上記各部の他に搬送駆動部、通信部等を備えている。また、インクジェット記録装置１００は、インクジェット記録装置１００の周囲の環境条件、特に、温度、湿度のうち少なくともいずれか一方を検出する環境検出センサを備えている。環境検出センサとしては、例えば、温度センサ、湿度センサ等が用いられる。
【００５２】
主制御部１０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を備えている。また、主制御部１０１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、通信Ｉ／Ｆ（インターフェイス）等を備えている。ＲＯＭは、インクジェット記録装置１００の基本プログラムと、オーバーコート液吐出制御処理を実行するためのプログラムとを格納している。ＣＰＵは、ＲＯＭが格納する各種プログラムをＲＡＭ上に展開して実行することにより、インクジェット記録装置１００の各部の動作を制御する。
【００５３】
主制御部１０１は、ＣＰＵの制御下で、通信Ｉ／Ｆを介して外部のコンピュータ等のホスト装置と通信して、画像データ等の画像形成情報（印刷ジョブ等）を受信する。また、主制御部１０１は、ＣＰＵの制御下で、ＡＳＩＣが、ホスト装置から受信した画像データに対して、画像形成するのに必要な画像処理を施す。また、主制御部１０１は、受信した画像データを画像処理して、各色のインク吐出量と吐出タイミングとを決定し、有色ヘッド駆動データとして有色インクヘッド制御部１０２に出力する。有色ヘッド駆動データが入力された有色インクヘッド制御部１０２は、有色ヘッド駆動データにしたがって有色ラインヘッドユニット３１を駆動させ、記録媒体上に所望の画像を形成する。
【００５４】
さらに、主制御部１０１は、画像データに基づいて、各色のインクによるドットのうちで、耐候性が低いドットよりも耐候性が高いドットの方が耐候性向上液による耐候性向上の効果が小さくなるようにオーバーコートラインヘッドユニット３２を駆動させるオーバーコートヘッド駆動データを作成し、オーバーコートヘッド駆動データを、オーバーコートヘッド制御部１０３に出力する。オーバーコートヘッド駆動データが入力されたオーバーコートヘッド制御部１０３は、オーバーコートヘッド駆動データにしたがってオーバーコートラインヘッドユニット３２を駆動させる。そして、オーバーコートラインヘッドユニット３２は、耐候性が低いドットよりも耐候性が高いドットの方が耐候性向上液による耐候性向上の効果が小さくなるように耐候性向上液を吐出する。
【００５５】
以下に、本発明のインクジェット記録装置及びインクジェット記録方法による更なる具体例を説明する。
【００５６】
＜第１の態様＞
以下の態様は、耐候性向上液が、１種類であり、第２ヘッドによる耐候性向上液の吐出における制御手段又は制御工程による制御が、耐候性が低いドット上に形成される耐候性向上液による被膜よりも、耐候性が高いドット上に形成される耐候性向上液の被膜の方が薄くなるように、行われる態様（第１の態様）である。
【００５７】
例えば、インクとして、ブラック（Ｂｋ）、シアン（Ｃ）、マゼンタ（Ｍ）、イエロー（Ｙ）の４色を用いる。各インク及び各インクによるドットの耐候性については、予めベタ画像の耐候性試験などにより求めることができる。そして、上記４色のインクの耐候性を、例えば、以下の表５のように、耐候性指数として、数値化しておく。また、インクの耐候性に応じた、耐候性向上液による被膜の厚みについても、以下の表５のように、被膜厚指数として、数値化しておく。ここで、耐候性指数は、数値が大きい程、耐候性が高い。被膜厚指数は、数値が大きい程、被膜の厚みが厚い。
【００５８】
【表５】
2019177537.tif 000008
【００５９】
第１の態様のインクジェット記録装置は、表５のようなデータテーブルを、予め備えておく。
表５のデータテーブルは、耐候性が低いドット上に形成される耐候性向上液による被膜よりも、耐候性が高いドット上に形成される耐候性向上液の被膜の方が薄くなるように作成されている。
【００６０】
そして、画像データに基づいて作成された有色ヘッド駆動データにしたがって有色ラインヘッドユニット３１を駆動させ、所望の画像が形成された後、オーバーコートラインヘッドユニット３２は、主制御部１０１が表５のデータテーブルを参照して作成したオーバーオートヘッド駆動データにしたがって、耐候性が低いドット上に形成される耐候性向上液による被膜よりも、耐候性が高いドット上に形成される耐候性向上液の被膜の方が薄くなるように耐候性向上液を吐出する。
【００６１】
具体的には、図３Ａ及び図３Ｂに示すように、記録媒体Ｐ上の各ドット１Ｂｋ、１Ｃ、１Ｍ、１Ｙをそれぞれ覆うように、耐候性向上液が付与され被膜２が形成されるが、その際、耐候性が低いドット程、厚い被膜２が形成される。そして、厚い被膜２ほど、耐候性向上の効果が高い。そうすることで、被膜を含む各ドットの耐候性が均一化され、経時の画像の色相の変化が抑えられる。また、全てのドットに対して被膜２が形成されるため、被膜２が形成されないドットがある場合と比べて、光沢の均一性にも優れる。
なお、複数のドットの一部が重なっている場合については、例えば、耐候性向上液も各ドットに対応して各ドット上に付与されるため、耐候性向上液による複数の液滴が重なって一続きの被膜が形成されてもよい。
また、図３Ｂでは、記録媒体Ｐの上に各ドット１Ｂｋ、１Ｃ、１Ｍ、１Ｙが形成されているが、ドットは、記録媒体Ｐに染み込んでいてもよい。また、記録媒体Ｐには、各インクが付与される前に、前処理液による前処理がされていてもよい。
【００６２】
＜第２の態様＞
以下の態様は、耐候性向上液が、耐候性向上効果の異なる複数種類であり、第２ヘッドによる耐候性向上液の吐出における制御手段又は制御工程による制御が、耐候性が低いドット上に形成される耐候性向上液の耐候性向上の効果よりも、耐候性が高いドット上に形成される耐候性向上液の耐候性向上の効果が低くなるように、行われる態様（第２の態様）である。
【００６３】
例えば、インクとして、ブラック（Ｂｋ）、シアン（Ｃ）、マゼンタ（Ｍ）、イエロー（Ｙ）の４色を用いる。各インク及び各インクによるドットの耐候性については、予めベタ画像の耐候性試験などにより求めることができる。そして、上記４色のインクの耐候性を、例えば、以下の表６のように、耐候性指数として、数値化しておく。また、４色のインクの耐候性に応じた、耐候性向上効果の異なる４種類の耐候性向上液を用意する。４種類の耐候性向上液の耐候性向上の程度についても、以下の表６のように、耐候性向上指数として、数値化しておいてもよい。ここで、耐候性指数は、数値が大きい程、耐候性が高い。耐候性向上指数は、数値が大きい程、耐候性向上効果が高い。なお、耐候性向上液の耐候性向上効果は、例えば、含有される紫外線遮蔽材の量により調整することができる。
【００６４】
【表６】
2019177537.tif 000009
【００６５】
第２の態様のインクジェット記録装置は、表６のようなデータテーブルを、予め備えておく。
表６のデータテーブルは、耐候性が低いドット上に形成される耐候性向上液の耐候性向上の効果よりも、耐候性が高いドット上に形成される耐候性向上液の耐候性向上の効果が低くなるように作成されている。
【００６６】
そして、画像データに基づいて作成された有色ヘッド駆動データにしたがって有色ラインヘッドユニット３１を駆動させ、所望の画像が形成された後、オーバーコートラインヘッドユニット３２は、主制御部１０１が表６のデータテーブルを参照して作成したオーバーコートヘッド駆動データにしたがって、耐候性が低いドット上に形成される耐候性向上液の耐候性向上の効果よりも、耐候性が高いドット上に形成される耐候性向上液の耐候性向上の効果が低くなるように、耐候性向上液を吐出する。
【００６７】
具体的には、図４Ａ及び図４Ｂに示すように、記録媒体Ｐ上の各ドット１Ｂｋ、１Ｃ、１Ｍ、１Ｙをそれぞれ覆うように、耐候性向上液Ｉ、ＩＩ、ＩＩＩ、ＩＶがそれぞれ付与され、ほぼ同じ厚みの被膜Ｉａ、ＩＩａ、ＩＩＩａ、ＩＶａが形成される。そうすることで、被膜を含む各ドットの耐候性が均一化され、経時の画像の色相の変化が抑えられる。また、全てのドットに対して被膜が形成されるため、被膜が形成されないドットがある場合と比べて、光沢の均一性にも優れる。更に、被膜の厚みが同程度のため、光沢の均一性は更に優れる。
なお、この態様では、４色のインクに対して、４種類の耐候性向上液を用いたが、インクセットが、耐候性が近いインクを含む場合には、例えば、４色のインクに対して、２種類乃至は３種類の耐候性向上液を用い、１種類の耐候性向上液を２色以上のインクに対応させてもよい。
【００６８】
本発明の態様は、例えば、以下のとおりである。
＜１＞  画像データに応じて記録媒体に対して耐候性の異なる複数のインクを吐出し、前記記録媒体上に画像を形成する第１ヘッドと、
前記複数のインクの各インクによる前記画像における各ドットを被覆して、前記各ドットの耐候性を向上させるための、樹脂と紫外線遮蔽材とを含有する耐候性向上液を吐出する第２ヘッドと、
前記画像データに基づいて、耐候性が低いドットよりも耐候性が高いドットの方が前記耐候性向上液による耐候性向上の効果が小さくなるように、前記画像における各ドットに対する、前記第２ヘッドによる前記耐候性向上液の吐出を制御する制御手段と、
を有することを特徴とするインクジェット記録装置である。
＜２＞  前記耐候性向上液が、１種類であり、
前記第２ヘッドによる前記耐候性向上液の吐出における前記制御手段による制御が、耐候性が低いドット上に形成される前記耐候性向上液による被膜よりも、耐候性が高いドット上に形成される前記耐候性向上液の被膜の方が薄くなるように、行われる、前記＜１＞に記載のインクジェット記録装置である。
＜３＞  前記耐候性向上液が、耐候性向上効果の異なる複数種類であり、
前記第２ヘッドによる前記耐候性向上液の吐出における前記制御手段による制御が、耐候性が低いドット上に付与される耐候性向上液の耐候性向上効果よりも、耐候性が高いドット上に形成される耐候性向上液の耐候性向上効果が低くなるように、行われる、前記＜１＞に記載のインクジェット記録装置である。
＜４＞  耐候性向上効果の異なる複数種類の前記耐候性向上液は、前記紫外線遮蔽材の含有量により耐候性向上効果が異なる前記＜３＞に記載のインクジェット記録装置である。
＜５＞  前記耐候性向上液が、無色透明である前記＜１＞から＜４＞のいずれかに記載のインクジェット記録装置である。
＜６＞  前記紫外線遮蔽材が、金属酸化物微粒子である前記＜１＞から＜５＞のいずれかに記載のインクジェット記録装置である。
＜７＞  インクジェット記録装置で実行されるインクジェット記録方法であって、
前記インクジェット記録装置は、画像データに応じて記録媒体に対して耐候性の異なる複数のインクを吐出し、前記記録媒体上に画像を形成する第１ヘッドと、前記複数のインクの各インクによる前記画像における各ドットを被覆して、前記各ドットの耐候性を向上させるための、樹脂と紫外線遮蔽材とを含有する耐候性向上液を吐出する第２ヘッドと、を有し、
前記画像データに基づいて、耐候性が低いドットよりも耐候性が高いドットの方が前記耐候性向上液による耐候性向上の効果が小さくなるように、前記画像における各ドットに対する、前記第２ヘッドによる前記耐候性向上液の吐出を制御する制御工程を含む、ことを特徴とするインクジェット記録方法である。
【符号の説明】
【００６９】
１Ｂｋ  ドット
１Ｃ    ドット
１Ｙ    ドット
１Ｍ    ドット
２      被膜
３１    有色ラインヘッドユニット
３２    オーバーコートラインヘッドユニット
１００  インクジェット記録装置
１０１  主制御部
１０２  有色インクヘッド制御部
１０３  オーバーコートヘッド制御部
Ｐ      記録媒体
【先行技術文献】
【特許文献】
【００７０】
【特許文献１】特開２００８−１４９６１５号公報
【図１】
2019177537.tif 000010
【図２】
2019177537.tif 000011
【図３Ａ】
2019177537.tif 000012
【図３Ｂ】
2019177537.tif 000013
【図４Ａ】
2019177537.tif 000014
【図４Ｂ】
2019177537.tif 000015